(57)【特許請求の範囲】
【請求項１】
端子ブロックを保護する端子カバーが本体筐体と組み合わされた電力量計の防水構造において、
前記端子カバーの内側に端子ブロックを収容する奥側領域と排水路を構成する前側領域とに区切る隔壁を設けるとともに、前記本体筐体に前記隔壁の上端部を収容する凹溝を設け、前記隔壁の前記上端部は、前記凹溝において奥側より前側の方が大きな隙間が形成されるように前記凹溝に収容されていることを特徴とする電力量計の防水構造。
【請求項２】
前記端子カバーの側壁上端内側に上方に突出するリブを設けるとともに、前記本体筐体に前記リブを収容する凹溝を設けたことを特徴とする請求項１に記載の電力量計の防水構造。
【請求項３】
前記端子ブロックに設けた端子台座と取付台座との間に挿入され、前記端子台座と前記取付台座との間を区切るリブを前記隔壁の内側に設けたことを特徴とする請求項１または２に記載の電力量計の防水構造。
【請求項４】
前記本体筐体の下面、前記凹溝の前方となる位置に凹部を設けたことを特徴とする請求項１〜３のいずれか一つに記載の電力量計の防水構造。
【発明の詳細な説明】
【技術分野】
【０００１】
本発明は、電力量計の防水構造に関するもので、特に、端子カバーが本体筐体に組み合わされた防水構造に関する。
【背景技術】
【０００２】
電力量計は、端子ブロックを備えており、端子ブロックは端子カバーに保護される。電力量計は、屋外に設置されることから、端子ブロックの防水が求められ、端子カバーが本体筐体に組み合わされて防水構造を構成する。防水構造は、たとえば、端子カバーの上端部を本体筐体の内側に嵌め込むことにより構成される（たとえば、特許文献１参照）。
【先行技術文献】
【特許文献】
【０００３】
【特許文献１】特開２００９−３６６６２号公報
【発明の概要】
【発明が解決しようとする課題】
【０００４】
ところで、上述した端子カバーの嵌め込み高さは、本体カバーと端子カバーとの間に浸入した水が毛細管現象により端子カバーを乗り越えないように、十分に高く設定してある。
【０００５】
しかしながら、端子カバーの嵌め込み高さを高くすると、端子カバーが本体筐体に進入する進入量も大きくなり、本体筐体の形状が制限され、本体筐体を成型する金型の制約も多くなる。
【０００６】
本発明は、上記に鑑みてなされたものであって、端子カバーの嵌め込み高さを低くできる電力量計の防水構造を提供することを目的にする。
【課題を解決するための手段】
【０００７】
上述した課題を解決し、目的を達成するために、本発明は、端子ブロックを保護する端子カバーが本体筐体と組み合わされた電力量計の防水構造において、前記端子カバーの内側に端子ブロックを収容する奥側領域と排水路を構成する前側領域とに区切る隔壁を設けるとともに、前記本体筐体に前記隔壁の上端部を収容する凹溝を設け、前記隔壁の前記上端部は、前記凹溝において奥側より前側の方が大きな隙間が形成されるように前記凹溝に収容されていることを特徴とする。
【０００８】
また、本発明は、上記発明において、前記端子カバーの側壁上端内側に上方に突出するリブを設けるとともに、前記本体筐体に前記リブを収容する凹溝を設けたことを特徴とする。
【０００９】
また、本発明は、上記発明において、前記端子ブロックに設けた端子台座と取付台座との間に挿入され、前記端子台座と前記取付台座との間を区切るリブを前記隔壁の内側に設けたことを特徴とする。
【００１０】
また、本発明は、上記発明において、前記本体筐体の下面、前記凹溝の前方となる位置に凹部を設けたことを特徴とする。
【発明の効果】
【００１１】
本発明にかかる電力量計の防水構造は、端子カバーの内側に端子ブロックを収容する奥側領域と排水路を構成する前側領域とを区切る隔壁を設けるとともに、本体筐体に隔壁の上端部を収容する凹溝を設けたので、本体筐体と端子カバーとの間から浸入した水は排水路を通り排水される。これにより、毛細管現象による水の浸入を考慮しなくてもよくなるので、端子カバーの嵌め込み高さを低くできる。
【図面の簡単な説明】
【００１２】
【図１】図１は、本発明の実施の形態である防水構造を適用した電力量計を示す斜視図である。
【図２】図２は、図１に示した電力量計から端子カバーを取り外した状態を示す斜視図である。
【図３】図３は、図２に示した本体筐体を示す斜視図である。
【図４】図４は、図３に示した本体筐体の天地を反転させた状態を示す斜視図である。
【図５】図５は、図１に示した端子カバーを示す斜視図である。
【図６】図６は、図５に示した端子カバーの裏面側を示す斜視図である。
【図７】図７は、図１に示した電力量計の正面図である。
【図８】図８は、図７に示したＡ−Ａ断面図である。
【図９−１】図９−１は、図８に示した防水構造の要部拡大図であって、端子カバーを取り付ける前の状態を示す図である。
【図９−２】図９−２は、図８に示した防水構造の要部拡大図であって、端子カバーを取り付けた後の状態を示す図である。
【発明を実施するための形態】
【００１３】
以下に、本発明にかかる電力量計の防水構造の実施の形態を図面に基づいて詳細に説明する。なお、この実施の形態によりこの発明が限定されるものではない。
【００１４】
図１は、本発明の実施の形態である防水構造を適用した電力量計を示す斜視図であり、図２は、図１に示した電力量計から端子カバーを取り外した状態を示す斜視図である。また、図３は、図２に示した本体筐体を示す斜視図であり、図４は、図３に示した本体筐体の天地を反転させた状態を示す斜視図である。
【００１５】
本発明の実施の形態である防水構造を採用した電力量計１は、電力を計量し積算する計器である。電力量計１は、電力メーターあるいはメーターと称され、電力の売買取引上、重要な役割を担っている。
【００１６】
図１および図２に示すように、本発明の実施の形態である防水構造を適用した電力量計１は、電力量計本体２と、電力量計本体２に取り付けた端子ブロック４とを備えており、端子ブロック４は端子カバー５で保護される。
【００１７】
電力量計本体２は、電力を計量し積算する計量部を構成する部分で、図２〜図４に示すように、本体筐体３を備えている。本体筐体３には、機械部品や電子部品が内蔵され、上述した計量部を構成する。
【００１８】
端子ブロック４は、電線が接続される部分であり、図２に示すように、端子台座４１と取付台座４２とが設けてある。端子台座４１には、電線が接続される端子が設けてあり、電力量計１の設置工事においてこれらの端子に電線が接続される。取付台座４２は、端子カバー５を取り付けるためのもので、端子台座４１の両側に設けてある。取付台座４２は、端子台座４１から独立して設けてあり、その中央にネジ孔４２１が設けてある。
【００１９】
図５は、図１に示した端子カバーを示す斜視図である。図６は、図５に示した端子カバーの裏面側を示す正面図である。図１に示すように、端子カバー５は、端子ブロック４を保護するためのもので、本体筐体３の外形と連続する外形を有している。図５および図６に示すように、端子カバー５は、背面側がくぼんだ凹状に形成してあり、前壁５１と一対の側壁５２とを有している。前壁５１は、端子カバー５の前面を構成する部分であり、図１に示すように、端子ブロック４に端子カバー５を取り付けた場合に、その外表面は本体筐体３の下端前面と面一となる。図５および図６に示すように、側壁５２は、端子カバー５の側面を構成する部分であり、前壁５１の両側に設けてある。図１に示すように、側壁５２は、端子ブロック４に端子カバーを取り付けた場合に、その外表面は本体筐体３の下端側面と面一となる。
【００２０】
図５および図６に示すように、端子カバー５の内側には、隔壁５３が設けてある。隔壁５３は、前壁５１と一対の側壁５２とに囲まれた領域を、端子ブロック４を収容する奥側領域と排水路を構成する前側領域とに区切るものであり、隔壁５３の奥側領域が端子ブロック４の収容域となり、隔壁５３の前側領域が排水路となる。
【００２１】
図５に示すように、前壁５１と隔壁５３との間には、複数のリブ５４が設けてある。リブ５４は、前壁５１と隔壁５３との間に排水路を確保するとともに、端子カバー５を補強する。
【００２２】
側壁５２の上端内側には、リブ５５が設けてある。リブ５５は、側壁５２の上端面から突出しており、隔壁５３の上端部と連なっている。
【００２３】
図６に示すように、端子カバー５の内側には、一対の縦リブ５６が設けてある。縦リブ５６は、上下方向に延び、端子ブロック４に端子カバー５を取り付けた場合に、端子ブロック４の端子台座４１と取付台座４２との間に挿入され、端子台座４１と取付台座４２との間を区切ることになる。
【００２４】
また、端子カバー５の内側には、横リブ５７が設けてある。横リブ５７は、端子ブロック４の収納域を区切るもので、一方の縦リブ５６の下端と他方の縦リブ５６の下端とを繋ぐように形成してある。
【００２５】
図４に示すように、本体筐体３の下面（図４において上面）には、凹溝３１が形成してある。凹溝３１は、端子カバー５に設けた隔壁５３の上端が嵌り込む部分であり、端子カバー５に設けたリブ５５が嵌る溝３１１と縦リブ５６の上端５６ａが嵌る溝３１２とが凹溝３１から分岐している。
【００２６】
本体筐体３の下面、凹溝３１の前方となる位置には、凹部３２が設けてある。凹部３２は、本体筐体３と端子カバー５の間から浸入した水が奥に伝わり難くするためのもので、凹部３２を設けたことにより、凹部３２と凹溝３１との間に隔壁３３が形成される。
【００２７】
図７は、図１に示した電力量計の正面図であり、図８は、図７に示したＡ−Ａ断面図である。また、図９は、図８に示した防水構造の要部拡大図であって、図９−１は、端子カバーを取り付ける前の状態を示す図であり、図９−２は、端子カバーを取り付けた後の状態を示す図である。
【００２８】
図９に示すように、端子ブロック４に端子カバー５を取り付ける場合には、端子カバー５に設けた隔壁５３の上端を凹溝３１に対向させた後、端子カバー５を上に持ち上げる。これにより、隔壁５３の上端部が凹溝３１に収容される。
【００２９】
この状態で、端子カバー５の前壁５１に設けた取付孔５１ａにネジを挿通させ、そのネジを取付台座４２に設けたネジ孔４２１にねじ込むと、端子ブロック４に端子カバー５が取り付けられる。
【００３０】
上述した本発明の実施の形態である電力量計１の防水構造は、端子カバー５の内側に端子ブロック４を収容する奥側領域と排水路を構成する前側領域とを区切る隔壁５３を設けるとともに、本体筐体３に隔壁５３の上端部を収容する凹溝３１を設けたので、本体筐体３と端子カバー５との間から浸入した水は、前壁５１と隔壁５３との間に設けられた排水路から排水される。これにより、毛細管現象による水の浸入を考慮しなくてもよくなるので、端子カバー５の嵌め込み高さを低くできる。
【００３１】
また、本体筐体３の下面、凹溝３１の前方となる位置に凹部３２を設けたので、本体筐体３と端子カバー５との間から浸入した水は奥に伝わりにくく、防水の完全を図ることができる。また、凹部３２を設けた結果、凹溝３１と凹部３２との間に隔壁３３が形成されるので、本体筐体３と端子カバー５との間から浸入した水が奥に伝わったとしても、隔壁３３から滴下する。
【００３２】
また、端子カバー５の側壁上端内側に上方に突出するリブ５５を設けるとともに、本体筐体３の下面にリブ５５を収容する凹溝を設けたので浸水しにくくなる。また、端子カバー５の内側に縦リブ５６を設けたので、端子台座４１と取付台座４２との間が区切られ、本体筐体３と端子カバー５との間から浸入した水が端子台座４１にまで伝わる可能性を小さくできる。
【符号の説明】
【００３３】
１    電力量計
２    電力量計本体
３    本体筐体
３１    凹溝
３１１    溝
３１２    溝
３２    凹部
３３    隔壁
４    端子ブロック
４１    端子台座
４２    取付台座
４２１    ネジ孔
５    端子カバー
５１    前壁
５１ａ    取付孔
５２    側壁
５３    隔壁
５４    リブ
５５    リブ
５６    縦リブ
５６ａ    上端
５７    横リブ
【図１】
0006039254.tif 000002
【図２】
0006039254.tif 000003
【図３】
0006039254.tif 000004
【図４】
0006039254.tif 000005
【図５】
0006039254.tif 000006
【図６】
0006039254.tif 000007
【図７】
0006039254.tif 000008
【図８】
0006039254.tif 000009
【図９−１】
0006039254.tif 000010
【図９−２】
0006039254.tif 000011